(57)【要約】【課題】植物への残存性の問題や他の農薬との併用に制限を生ずることがない植物の矮化剤を提供する。【解決手段】合成によって得られるかあるいはサツマイモの茎葉部を溶剤によって抽出したＩｎｄｏｌｅ−３−ｃａｒｂｏｘａｌｄｅｈｙｄｅおよび／または３，４−Ｄｉｈｙｄｒｏｘｙｃｉｎｎａｍｉｃ  Ａｃｉｄを主成分として調整した植物の矮化剤に関する。【選択図】  なし【特許請求の範囲】
【請求項１】
Ｉｎｄｏｌｅ−３−ｃａｒｂｏｘａｌｄｅｈｙｄｅおよび／または３，４−Ｄｉｈｙｄｒｏｘｙｃｉｎｎａｍｉｃ  Ａｃｉｄを主成分とする植物の矮化剤。
【請求項２】
合成によって得られたＩｎｄｏｌｅ−３−ｃａｒｂｏｘａｌｄｅｈｙｄｅおよび／または３，４−Ｄｉｈｙｄｒｏｘｙｃｉｎｎａｍｉｃ  Ａｃｉｄを水に溶解して所定の濃度に調整した植物の矮化剤。
【請求項３】
サツマイモの茎葉部をホモジナイズし、溶剤によって抽出し、活性画分を分取して得たＩｎｄｏｌｅ−３−ｃａｒｂｏｘａｌｄｅｈｙｄｅおよび／または３，４−Ｄｉｈｙｄｒｏｘｙｃｉｎｎａｍｉｃ  Ａｃｉｄを水に溶解して所定の濃度に調整した植物の矮化剤。
【請求項４】
サツマイモの茎葉部をホモジナイズし、溶剤によって抽出し、活性画分を分取してＩｎｄｏｌｅ−３−ｃａｒｂｏｘａｌｄｅｈｙｄｅおよび／または３，４−Ｄｉｈｙｄｒｏｘｙｃｉｎｎａｍｉｃ  Ａｃｉｄを得、これを主成分として用いる植物矮化剤の製造方法。
【発明の詳細な説明】
【０００１】
【発明の属する技術分野】
本発明は植物の矮化剤およびその製造方法に係り、とくに合成またはサツマイモの茎葉部から抽出されるＩｎｄｏｌｅ−３−ｃａｒｂｏｘａｌｄｅｈｙｄｅおよび／または３，４−Ｄｉｈｙｄｒｏｘｙｃｉｎｎａｍｉｃ  Ａｃｉｄを用いた植物の矮化剤およびその製造方法に関する。
【０００２】
【従来の技術】
植物が適正な背丈等のサイズを超えて成長すると、かえって植物自体をしっかり支えることができなくなる。野菜においても機械移植可能なセル成型苗の利用が増加しているが、セル成型苗は移植に適する期間が短く、草丈が伸びすぎると機械移植ができなくなり、あるいは仮植苗を手植えしたものに比べて移植後の根張りがやや劣る等の不具合が発生する。
【０００３】
そこで従来より植物の生長抑制剤を植物に対して散布し、これによって適正なサイズの植物を確保している。従来の生長抑制剤は、活性成分としてダミノジット  Ｄａｍｉｎｏｚｉｄｅ（２，２−ｄｉｍｅｔｈｙｌｈｙｄｒａｚｉｄｅ）やビスピリバックナトリウム塩  ｂｉｓｐｙｒｉｂａｃ−ｓｏｄｉｕｍ（ｓｏｄｉｕｍ  ２，６−ｂｉｓ（４，６−ｄｉｍｅｔｈｏｘｙｐｙｒｉｍｉｄｉｎ−２−ｙｌｏｘｙ）ｂｅｎｚｏａｔｅ）を主成分としたものが存在する。これらの生長抑制剤は人工的に化学合成された活性成分を主要分とし、それ自体が生分解性を有していないために、植物への残存性や他の農薬との併用に対する規制の問題がある。
【０００４】
本願発明はこのような問題点に鑑みてなされたものであって、生分解性を有し、植物に対する残存性の問題を生ぜず、他の農薬との併用が可能であって、環境に対する影響を回避するようにした植物の矮化剤およびその製造方法を提供することを目的とする。
【０００５】
【課題を解決するための手段】
本願の一発明は、
Ｉｎｄｏｌｅ−３−ｃａｒｂｏｘａｌｄｅｈｙｄｅおよび／または３，４−Ｄｉｈｙｄｒｏｘｙｃｉｎｎａｍｉｃ  Ａｃｉｄを主成分とする植物の矮化剤に関するものである。
【０００６】
本願の別の発明は、
合成によって得られたＩｎｄｏｌｅ−３−ｃａｒｂｏｘａｌｄｅｈｙｄｅおよび／または３，４−Ｄｉｈｙｄｒｏｘｙｃｉｎｎａｍｉｃ  Ａｃｉｄを水に溶解して所定の濃度に調整した植物の矮化剤に関するものである。
【０００７】
本願のさらに別の発明は、
サツマイモの茎葉部をホモジナイズし、溶剤によって抽出し、活性画分を分取して得たＩｎｄｏｌｅ−３−ｃａｒｂｏｘａｌｄｅｈｙｄｅおよび／または３，４−Ｄｉｈｙｄｒｏｘｙｃｉｎｎａｍｉｃ  Ａｃｉｄを水に溶解して所定の濃度に調整した植物の矮化剤に関するものである。
【０００８】
製造方法に関する発明は、
サツマイモの茎葉部をホモジナイズし、溶剤によって抽出し、活性画分を分取してＩｎｄｏｌｅ−３−ｃａｒｂｏｘａｌｄｅｈｙｄｅおよび／または３，４−Ｄｉｈｙｄｒｏｘｙｃｉｎｎａｍｉｃ  Ａｃｉｄを得、これを主成分として用いる植物矮化剤の製造方法に関するものである。
【０００９】
【発明の実施の形態】
実施の形態１
ここでは合成によって得られたＩｎｄｏｌｅ−３−ｃａｒｂｏｘａｌｄｅｈｙｄｅおよび／または３，４−Ｄｉｈｙｄｒｏｘｙｃｉｎｎａｍｉｃ  Ａｃｉｄを用いる。なおこのような活性物質は例えばインドール−３−アルデヒドおよび３，４−ジヒドロキシけい皮酸として和光純薬株式会社によってそれぞれ提供される。そして合成の上記の活性物質を含有量が１０−４Ｍ〜１０−３Ｍ程度になるように水で希釈する。
【００１０】
希釈された矮化剤を対象となる植物に添加する。露地野菜や芝地の場合は、１Ｌ／ｍ２  の量で散布する。施設園芸作物には水耕液に上記の活性物質の含有量が１０−４Ｍ〜１０−３Ｍ程度になるように添加すればよい。
【００１１】
実施の形態２
この実施の形態はサツマイモの茎葉部から抽出されたＩｎｄｏｌｅ−３−ｃａｒｂｏｘａｌｄｅｈｙｄｅおよび／または３，４−Ｄｉｈｙｄｒｏｘｙｃｉｎｎａｍｉｃ  Ａｃｉｄを主成分として用いた矮化剤およびその製造方法に関する。
【００１２】
１．活性成分の特定
原料：  サツマイモの茎葉部
前処理：  サツマイモの茎葉部と塊根部とを切離し、茎葉部をブレンダーによってホモジナイズする。
【００１３】
抽出工程：  ヘキサン／酢酸エチル（５０／５０）の溶媒によって抽出する。
【００１４】
精製工程：  抽出液をＳｅｐ−ｐａｋ  ｓｉｌｉｃａ  Ｖａｃ  ３５ｃｃとＳｅｐ−ｐａｋ  Ｃ１８  Ｖａｃ  ３５ｃｃに通し、ケイトウの下胚軸とクレスの幼根長で活性を確認しながら活性画分を分取し、ＨＰＬＣと１Ｈ  ＮＭＲによって活性物質を同定する。ここでは活性物質として上述のＩｎｄｏｌｅ−３−ｃａｒｂｏｘａｌｄｅｈｙｄｅおよび３，４−ＤｉｈｙｄｒｏｘｙｃｉｎｎａｍｉｃＡｃｉｄが確認されている。
【００１５】
２．利用の形態
前処理：  茎葉部と塊根部とを切離し、茎葉部を搾汁する。
【００１６】
抽出工程：  搾汁液の一部を用い、Ｉｎｄｏｌｅ−３−ｃａｒｂｏｘａｌｄｅｈｙｄｅと３，４−Ｄｉｈｙｄｒｏｘｙｃｉｎｎａｍｉｃ  Ａｃｉｄの含有量を定量し、含有量が１０−４Ｍ〜１０−３Ｍになるように搾汁液を濃縮または希釈する。
【００１７】
施用方法：  対象となる植物に搾汁液を添加する。露地野菜や芝地の場合には、１Ｌ／ｍ２  量で散布する。施設園芸作物には、水耕液にＩｎｄｏｌｅ−３−ｃａｒｂｏｘａｌｄｅｈｙｄｅと３，４−ＤｉｈｙｄｒｏｘｙｃｉｎｎａｍｉｃＡｃｉｄの含有量が１０−４Ｍ〜１０−３Ｍ程度になるように添加する。
【００１８】
【実施例】
実施例１
合成された市販の試薬であるＩｎｄｏｌｅ−３−ｃａｒｂｏｘａｌｄｅｈｙｄｅを水に溶解し、１０−５Ｍ，１０−４Ｍ、１０−３Ｍにそれぞれ調整して矮化剤を作製した。このような矮化剤についてシャーレの瀘紙にしみ込ませた後に、雑草と作物の種子を播種した。雑草としてはメヒシバ、スズメノカタビラ、オオイヌノフグリ、シロクローバーを使用し、作物にはベントグラス、イネ、レタス、ミニトマトを使用した。１０−３Ｍで総ての雑草と作物の地上部と根部で抑制活性が確認された。とくにベントグラス、レタス、トマトで強い抑制が確認された。
【００１９】
実施例２
市販の合成試薬である３，４−Ｄｉｈｙｄｒｏｘｙｃｉｎｎａｍｉｃ  Ａｃｉｄを水に溶解し、１０−５Ｍ、１０−４Ｍ、１０−３Ｍのそれぞれの矮化剤を調整した。そしてこのような矮化剤をシャーレ内の瀘紙にしみ込ませた後に上述の実施例１と同じ植物を播種して抑制活性を確認した。３，４−Ｄｉｈｙｄｒｏｘｙｃｉｎｎａｍｉｃ  Ａｃｉｄは上記実施例１のＩｎｄｏｌｅ−３−ｃａｒｂｏｘａｌｄｅｈｙｄｅよりも抑制効果が低いものの、クローバーやミニトマトにおいては効果的な抑制が確認された。
【００２０】
実施例３
サツマイモ（品種コガネセンガン）の茎葉部１Ｋｇを抽出液をブレンダーによってホモジナイズし、ヘキサン／酢酸エチル（５０／５０）の溶媒で抽出した。抽出液をＳｅｐ−ｐａｋ  ｓｉｌｉｃａ  Ｖａｃ  ３５ｃｃに通し、ヘキサン／酢酸エチル（７０／３０）、酢酸エチルの順に溶出して２分画に分取した。
【００２１】
次に分取した画分をしみ込ませた瀘紙にケイトウとクレスの種子を播種し、ケイトウの下胚軸とクレスの幼根長を測定し、抑制活性を確認した。活性の見られた酢酸エチルの画分をＳｅｐ−ｐａｋ  Ｃ１８  Ｖａｃ  ３５ｃｃに通し、７０％メタノールで溶出した。さらにこれをＨＰＬＣ（条件：ＯＤＳ−８０Ｔｓ  Ф７．８×３００ｍｍ  ６０％メタノール）にかけて分取した。得られたピークを１Ｈ  ＮＭＲによって解析した結果、Ｉｎｄｏｌｅ−３−ｃａｒｂｏｘａｌｄｅｈｙｄｅと３，４−Ｄｉｈｙｄｒｏｘｙｃｉｎｎａｍｉｃ  Ａｃｉｄが同定された。またこれらの活性物質の含有量は約１ｍｇ／Ｋｇ程度であった。
【００２２】
実施例４
Ｉｎｄｏｌｅ−３−ｃａｒｂｏｘａｌｄｅｈｙｄｅと３，４−Ｄｉｈｙｄｒｏｘｙｃｉｎｎａｍｉｃ  Ａｃｉｄを用いて作物への影響を調査した。施用濃度を１０−５Ｍ、１０−４Ｍ、１０−３Ｍにそれぞれ調整し、シャーレ内の瀘紙にしみ込また後に、雑草と作物の種子を播種した。雑草にはメヒシバ、スズメノカタビラ、オオイヌノフグリ、シロクローバーを使用した。また作物としてはベントグラス、イネ、レタス、ミニトマトを使用した。
【００２３】
この結果Ｉｎｄｏｌｅ−３−ｃａｒｂｏｘａｌｄｅｈｙｄｅは１０−３Ｍの調整液で総ての雑草と作物の地上部と根部とで抑制活性を示した。とくにベントグラス、レタス、トマトで強い抑制が確認された。これに対して３，４−Ｄｉｈｙｄｒｏｘｙｃｉｎｎａｍｉｃ  Ａｃｉｄは１０−４Ｍでクローバーやミニトマトを抑制した。
【００２４】
次にコウライシバを用いてターフの形成にどのような影響があるかを評価した。コガネセンガン茎葉部を搾汁し、Ｉｎｄｏｌｅ−３−ｃａｒｂｏｘａｌｄｅｈｙｄｅと３，４−Ｄｉｈｙｄｒｏｘｙｃｉｎｎａｍｉｃ  Ａｃｉｄの含有量が１０−４Ｍ〜１０−３Ｍ程度になるように調整した。３ｍ２  ／試験区のコウライシバのターフを用意し、試験区には茎葉部搾汁液を、対照区には水をそれぞれ１Ｌ／ｍ２  量で散布した。散布は１０日に１度行ない、これを３ケ月間評価した。
【００２５】
その結果搾汁液の散布を行なった区は対照区と比較して緻密で矮化したターフを形成した。またグリーンモアによる刈込みを実施したところ、対照区と比較して散布区は重量比で５０％以上刈りかすが減少した。
【００２６】
【産業上の利用可能性】
合成またはサツマイモの茎葉部から抽出したＩｎｄｏｌｅ−３−ｃａｒｂｏｘａｌｄｅｈｙｄｅおよび／または３，４−ＤｉｈｙｄｒｏｘｙｃｉｎｎａｍｉｃＡｃｉｄを主要原料として用いて矮化剤として施用することにより、均整がとれて植物全体がコンパクトなサイズになり、植物自体をしっかり支えることが可能になる。野菜では近年機械移植可能なセル成型苗の利用が増加している。しかし一方でセル成型苗は移植に適する期間が短く、草丈が伸びすぎると機械移植できなくなることや、仮植苗を手植えしたものに比べて、移植後の根張りがやや劣ることなどの問題点が指摘されている。育苗時に本矮化剤を施用することでこれらの問題を解決する苗を提供することが可能になる。
【００２７】
花卉ではとくに鉢花に施用することによって、鉢と植物のバランスを調整することができる。例えばファレノプシスの鉢物生産では寄せ植えでの出荷が多くなり、寄せ植えのバランスが商品価値に大きな影響を及ぼしている。また生産者にとっても寄せ植えにかかる労力は大変に大きなウエートを占めている。簡単にバランスの良い組合わせを作るには茎の長さに高低があることが望ましい。しかし近年メリクメン苗が多くなって、茎の長さが揃ってしまう場合が多く、寄せ植えが作りづらい。本願の矮化剤の利用は寄せ植えの商品の向上と作業の能率アップに大きな効果を生ずる。
【００２８】
【発明の効果】
本願発明は、合成されるかサツマイモの茎葉部を抽出した得られるＩｎｄｏｌｅ−３−ｃａｒｂｏｘａｌｄｅｈｙｄｅおよび／または３，４−Ｄｉｈｙｄｒｏｘｙｃｉｎｎａｍｉｃ  Ａｃｉｄを主成分とする植物の矮化剤に関するものである。このような矮化剤の主成分は上述の如くＩｎｄｏｌｅ−３−ｃａｒｂｏｘａｌｄｅｈｙｄｅまたは３，４−Ｄｉｈｙｄｒｏｘｙｃｉｎｎａｍｉｃ  Ａｃｉｄであるが、この物質はサツマイモの茎葉部から抽出して得られることから明らかなように、天然の有機化合物またはそれと同じ構造をもつ有機合成化合物である。従ってこのような物質はそれ自身が自然崩壊性を有し、従来の人工的な化学合成された抑制剤と異なって植物への残存性が懸念されることがなく、また他の農薬等の併用に制限を生ずることがない。またとくにかんしょの茎葉部を用いて上記のＩｎｄｏｌｅ−３−ｃａｒｂｏｘａｌｄｅｈｙｄｅや３，４−Ｄｉｈｙｄｒｏｘｙｃｉｎｎａｍｉｃ  Ａｃｉｄを抽出する方法は、従来不必要で有効利用の途がなかったサツマイモの茎葉部を有効に利用してその中に含まれる有効成分を矮化剤として利用する道を拓くものである。